(57)【要約】  歯型作成システムを使用して人間の歯の鋳型から歯型を形成する方法および歯型作成システム。この歯型作成システムは、対向歯型ベース、歯型ベース、および鋳込治具を備える。鋳込治具は、鋳型支持部材および歯型支持部材を備える。鋳型は、鋳型の両側に形成された人間の対向する上下の歯の凹凸を含むことができる。この方法は、対向歯型ベースを鋳型支持部材に装着し、対向歯型ベースおよび鋳型の一側面上の歯の凹凸に第１の成形可能な材料を充填し、充填した第１の成形可能な材料を対合させ、歯型ベースを歯型支持部材に装着することを含むことができる。この方法はさらに、歯型ベースを鋳型の反対側の歯の凹凸と位置合せし、鋳型の反対側に第２の成形可能な材料を充填し、充填した第２の成形可能な材料を歯型ベースと対合させ、第１および第２の成形可能な材料を硬化して、対向する上下の歯の鋳型を含む歯型を形成することを含む。
2008543372.tif 000002
【特許請求の範囲】
【請求項１】
人間の上下の歯の少なくとも一部の歯型を装着するように構成された第１の歯型支持面を有する歯型ベースと、
前記歯型ベース上に装着された歯型から患者の口内の反対側に位置合せされる人間の歯の少なくとも一部の対向する歯型を装着するように構成された第２の歯型支持面を画定する対向歯型ベースと、
鋳込治具であって、
支持ベース、
前記支持ベースに装着される鋳型支持部材であって、スタンド、前記スタンド上で支持される鋳型プラットホーム、および前記支持ベースに対して前記鋳型プラットホームを調整するように形状付けられ構成された調整部を備え、前記プラットホームが前記対向歯型ベースを解放可能に装着するように構成される鋳型支持部材、および
前記支持ベースに装着される歯型支持部材であって、前記歯型ベースを前記対向歯型ベースの全般的に垂直方向の上方の位置で支持するように構成された歯型支持部材を備える鋳込治具とを含む、歯型作成システム。
【請求項２】
前記歯型支持部材が前記支持ベースに装着された第一部分および前記第一部分に旋回式に装着された第二部分を備える、請求項１に記載の歯型作成システム。
【請求項３】
前記歯型支持部材が前記第一と第二の部分の間に位置付けられる延長部材をさらに備え、前記延長部材が前記プラットホームに対して前記第二部分の垂直方向の高さを上げるように構成される、請求項２に記載の歯型作成システム。
【請求項４】
前記延長部材が前記対向歯型ベースの高さと実質的に等しい高さを有する、請求項３に記載の歯型作成システム。
【請求項５】
前記プラットホームが着脱可能である、請求項１に記載の歯型作成システム。
【請求項６】
前記プラットホームが前記鋳込治具に対して前記対向歯型ベースを保持するように構成された少なくとも第１および第２の位置合せ部材を備える、請求項１に記載の歯型作成システム。
【請求項７】
前記第１の位置合せ部材が前記対向歯型ベースと係合する円筒形の突起として構成され、前記第２の位置合せ部材が前記対向歯型ベースの端面内に形成されたスロットと係合するように構成された少なくとも１つの突起を含む、請求項６に記載の歯型作成システム。
【請求項８】
前記歯型ベースおよび前記対向歯型ベースのうちの少なくとも１つが、対向する第１および第２の端部、前記第１の端部内に画定されたラッチ凹部、および前記第２の端部内に画定された半球形状凹部を含み、前記ラッチ凹部がスナップ嵌め接続部のラッチ突起と係合するように構成され、前記半球形状凹部がボールとソケット接続部の半球形状突起によって係合されるように構成される、請求項１に記載の歯型作成システム。
【請求項９】
歯型作成システムを使用して人間の歯の鋳型から歯型を形成する方法であって、前記歯型作成システムが対向歯型ベース、歯型ベース、および鋳込治具を備え、前記鋳込治具が鋳型支持部材および歯型支持部材を備え、前記鋳型が前記鋳型の両側に形成された患者の対向する上下の歯の凹凸を含み、前記方法が、
前記対向歯型ベースを前記鋳型支持部材に装着する工程と、
前記対向歯型ベースおよび前記鋳型の一側面上の歯の凹凸に第１の成形可能な材料を充填し、前記充填された第１の成形可能な材料を対合させる工程と、
前記歯型ベースを前記歯型支持部材に装着する工程と、
前記歯型ベースと前記鋳型の反対側の歯の凹凸を位置合せする工程と、
前記鋳型の反対側に第２の成形可能な材料を充填し、前記充填された第２の成形可能な材料を前記歯型ベースと対合させる工程と、
前記第１および第２の成形可能な材料を硬化して、対向する上下の歯を含む歯型を形成する工程と、
前記鋳型を前記硬化した成形可能な材料から取り外す工程とを含む方法。
【請求項１０】
前記システムがピンロケータをさらに備え、前記方法が、前記ピンロケータを前記歯型支持部材に装着し、前記ピンロケータのピンを前記鋳型の前記反対側の前記歯と位置合せし、前記歯型ベースを前記歯型支持部材に装着する前に前記ピンロケータを取り外すことをさらに含む、請求項９に記載の方法。
【請求項１１】
前記鋳型支持部材がスタンドおよびプラットホームを備え、前記プラットホームが前記スタンドに旋回式に装着され、前記プラットホームが前記対向歯型ベースを解放可能に装着するように構成される、請求項９に記載の方法。
【請求項１２】
前記歯型ベースを前記鋳型の反対側の歯の凹凸と位置合せする場合に前記スタンドを垂直方向に調整して前記プラットホームの垂直位置を変更することをさらに含む、請求項９に記載の方法。
【請求項１３】
前記プラットホームが第１および第２の部材を備え、前記第１の部材がボールとソケット接続部で前記スタンドに結合されて旋回運動を行い、前記第２の部材が全般的に平坦な装着面および前記対向歯型ベースを支持し保持するように構成された複数の取り付け部材を備える、請求項１１に記載の方法。
【請求項１４】
前記歯型ベースが前記歯型支持部材に、前記歯型ベースの一端でボールとソケット接続部で、前記歯型ベースの反対側の端部でスナップ嵌めラッチ接続部で装着される、請求項９に記載の方法。
【請求項１５】
前記鋳込治具が、前記鋳型支持部材に対して前記歯型支持部材の高さを前記対向歯型ベースの高さと実質的に等しい距離だけ上げるように構成された歯型支持部材延長部をさらに備え、前記方法が、前記歯型ベースを前記歯型支持部材に装着する工程の前に前記延長部を前記歯型支持部材に装着する工程をさらに含む、請求項９に記載の方法。
【請求項１６】
底壁と、
前記底壁から全般的に垂直に上方に延び、側壁の上縁部に沿って上部支持面を画定する連続した側壁であって、前記底壁および前記側壁が第１のキャビティを画定する、連続した側壁と、
前記底壁から前記キャビティ内に全般的に垂直に上方に延びる複数の保持ピンと、
前記側壁の前端に画定された第１の取り付け構造および前記側壁の後端に画定された第２の取り付け構造とを備える、歯型ベース。
【請求項１７】
前記底壁から垂直に下方に延びる第１の装着位置合せ部材をさらに備える、請求項１６に記載の歯型ベース。
【請求項１８】
前記側壁および前記底壁が単一ピースとして一体的に形成される、請求項１６に記載の歯型ベース。
【請求項１９】
前記第１のラッチ構造がスナップ嵌め接続用に構成されたラッチ凹部を含み、前記第２のラッチ構造がボールとソケット接続用に構成された半球形状凹部または半球形状突起を含む、請求項１６に記載の歯型ベース。
【請求項２０】
前記底壁から全般的に垂直に下方に延び、第２の側壁の底縁部に沿って底部支持面を画定する第２の連続した側壁をさらに備え、前記底壁および前記第２の側壁が前記底壁によって前記第１のキャビティから分離された第２のキャビティを画定する、請求項１６に記載の歯型ベース。
【請求項２１】
前記底壁から前記第２のキャビティ内に全般的に垂直に下方に延びる複数の保持ピンをさらに備える、請求項１６に記載の歯型ベース。
【請求項２２】
前記底壁から前記第１のキャビティ内に垂直に上方に延びる第２の装着位置合せ部材をさらに備える、請求項１６に記載の歯型ベース。
【請求項２３】
前記側壁の外側に面する表面内に形成された位置合せ部材をさらに備え、前記位置合せ部材が歯の鋳型の所定の歯を位置合せするための案内を提供する、請求項１６に記載の歯型ベース。
【請求項２４】
前記側壁の後端内に形成されたスロットをさらに備え、前記スロットが前記対向歯型ベースを咬合器に取り付けるように構成される、請求項１６に記載の歯型ベース。
【請求項２５】
平坦な装着面を画定するベース部材と、
前記装着面から垂直に延び、歯型ベースを着脱可能に装着するための取り付け構造を備える歯型ベース支持部材と、
前記装着面から垂直に延びる鋳型支持部材とを備え、前記鋳型支持部材は、前記ベース部材に調整可能に固定され、着脱可能な鋳型プラットホームを備え、前記鋳型プラットホームは対向歯型ベースを装着するように構成され、前記鋳型支持部材は前記歯型ベース支持部材に対して前記鋳型プラットホームの位置を変更するために前記歯型ベース支持部材に対して垂直方向に調整可能であり、
前記歯型ベース支持部材が前記鋳型プラットホームに対して前記歯型ベース支持部材の高さを上げるように構成された延長部材をさらに備え、前記対向歯型ベースが人間の歯の鋳型の第１の側面から歯型を支持するように構成され、前記歯型ベースが前記鋳型の第２の側面から歯型を支持するように構成される、歯型鋳込治具。
【請求項２６】
前記鋳型支持部材が前記ベース部材の前記装着面に対して少なくとも２つの平面で調整可能である、請求項２５に記載の鋳込治具。
【請求項２７】
前記鋳型プラットホームが、鋳型装着面、ならびに前記鋳型装着面から延びる少なくとも第１および第２の位置合せ部材を備え、前記第１および第２の位置合せ部材が前記対向歯型ベースを前記鋳型プラットホームに結合するように構成される、請求項２５に記載の鋳込治具。
【請求項２８】
前記鋳型支持部材が、前記鋳型プラットホームと前記ベース部材の間に結合されるスタンドをさらに備え、前記スタンドが、前記ベース部材に対して前記鋳型プラットホームの高さを変更するように垂直方向に調整可能であり、前記鋳型プラットホームが調整可能なボールとソケット接続部によって前記スタンドに接続される、請求項２５に記載の鋳込治具。
【発明の詳細な説明】
【技術分野】
【０００１】
本出願は、すべての加盟国を指定国として米国国民であり出願人のＲｏｎａｌｄ  Ｅ．  Ｈｕｆｆｍａｎの名で２００６年６月７日にＰＣＴ国際特許出願として出願されたものであり、２００５年６月１０日に出願された米国特許出願第１１／１５０，８４９号の優先権を主張するものである。
【０００２】
本発明は、歯型および歯型の形成方法に関する。本発明は、より詳細には、調整可能な歯型鋳込治具およびその使用方法に関する。
【背景技術】
【０００３】
人間の歯の鋳型から歯型を作成するための伝統的な歯型鋳込治具および装置が従来から使用されている。通常、鋳型は、柔軟な成形用材料を患者に噛ませ、それを硬化して、患者の歯および歯肉と逆の凹凸を有する鋳型の凹部を作成することによって形成される。鋳型は、患者の歯肉線の全て、または任意の部分のものでもよい。次いで、鋳込み可能な材料が逆の凹凸に注入されて、患者の歯および歯肉のストーンレプリカまたは歯型が作成される。
【０００４】
歯型鋳込治具の主な機能は、歯型を作成する場合に、人間の歯の鋳型を歯型ベースまたは特定の歯に関連するピンに対して適切な位置に支持することである。この機能は、人間の口内の上下両方の組の歯の凹凸を有する特別の歯の鋳型から歯型を作成する場合は特に難しいことがある。こうした特別の鋳型は「トリプルトレイ（ｔｒｉｐｌｅ  ｔｒａｙ）」と呼ばれることが多い。トリプルトレイは、人間の口の上または下の虫歯の歯型、および虫歯に対面する歯の対向歯型を同時に作成するのに最もよく使用される。
【０００５】
周知の鋳込治具には多くの問題点があり、トリプルトレイなど特別の歯の鋳型に対処する装備がなされていない。周知の鋳込治具では、調整構造があったとしても、通常は扱いにくいものであり、正確な調整が難しい。さらに、通常はこうした鋳込治具の鋳型を保持する機能、またはピンあるいは歯型ベースを保持する機能だけが調整可能である。このように限られた調整性では、歯型を作成する場合に、鋳型とピンまたは歯型ベースの互いの正確な位置付けが難しい。
【０００６】
周知の鋳込治具に関連する他の欠点には、鋳込治具の調整にかかる時間、および調整位置の再現ができないことがあげられる。また、周知の鋳込治具は、通常、たとえば口の大、中、小を反映するサイズなど、単一の鋳型および歯型ベースサイズ用に構成されている。また周知の鋳込治具の他の制約は、同じ鋳込治具で様々なタイプの歯型ベースに対処することに関する。
【発明の開示】
【発明が解決しようとする課題】
【０００７】
本開示は、一般に、歯型作成システムに関し、人間の歯の鋳型から歯型を形成する方法に関する。本開示は、より詳細には、調整可能な歯型鋳込治具、ならびに、鋳込治具、ピンロケータ、歯型ベース、および対向歯型ベースを使用して人間の歯の鋳型から歯型を作成する方法に関する。
【課題を解決するための手段】
【０００８】
本開示の一態様は、歯型ベース、対向歯型ベース、および鋳込治具を備える歯型作成システムに関する。歯型ベースは、人間の上または下の歯の少なくとも一部の歯型を装着するように構成された第１の歯型支持面を備える。対向歯型ベースは、歯型ベース上に装着された歯型から人間の口の反対側に位置合せされる人間の歯の少なくとも一部の対向歯型を装着するように構成された第２の歯型支持面を画定する。鋳込治具は、支持ベース、鋳型支持部材、および歯型支持部材を備える。鋳型支持部材は、支持ベースに装着され、スタンド、スタンド上で支持される鋳型プラットホーム、および支持ベースに対して鋳型プラットホームの方向を調整するように構成された調整構造を備える。プラットホームは対向歯型ベースを解放可能に装着するように構成される。歯型支持部材は支持ベースに装着され、歯型支持部材は歯型ベースを対向歯型ベースの全般的に垂直方向の上方の適切な位置で支持するように構成される。
【０００９】
本発明の他の態様は、歯型作成システムを使用して人間の歯の鋳型から歯型を形成する方法に関する。この歯型作成システムは、対向歯型ベース、歯型ベース、および鋳込治具を備える。鋳込治具は鋳型支持部材および歯型支持部材を備え、鋳型は鋳型の両側に形成された人間の対向する上下の歯の凹凸を含むことができる。この方法の工程は、対向歯型ベースを鋳型支持部材に装着する工程、対向歯型ベースおよび鋳型の一側面上の歯の凹凸に第１の成形可能な材料を充填する工程、対向歯型ベースと鋳型の一側面に充填した第１の成形可能な材料を対合させる工程、および歯型ベースを歯型支持部材に装着する工程を含む。この方法はさらに、歯型ベースを鋳型の反対側の歯の凹凸と位置合せする工程、鋳型の反対側に第２の成形可能な材料を充填する工程、充填した第２の成形可能な材料を歯型ベースと対合させる工程を含む。方法はさらに、第１および第２の成形可能な材料を硬化して、対向する上下の歯を含む歯型を形成する工程、および硬化した成形可能な材料から鋳型を取り外す工程を含む。
【００１０】
本発明の他の態様は、底壁、第１の側壁、複数の保持ピン、ならびに第１および第２の取り付け構造を備える歯型ベースに関する。第１の側壁は連続して底壁から全般的に垂直方向に延びる。側壁は第１の側壁の上縁部に沿って上部支持面を画定する。底壁および第１の側壁は第１のキャビティを画定する。保持ピンは底壁からキャビティ内に全般的に垂直に延び、上部支持面の下に維持される。第１の取り付け構造は側壁の前端に画定され、第２の取り付け構造は側壁の後端に画定される。
【００１１】
本発明の上記の要約は、本発明の各実施形態または全ての実装形態を記載することが意図されたものではない。以下の図面および詳細な説明によって、好ましい実装形態をより詳細に例示する。
【００１２】
添付の図面と併せて本発明の好ましい実施形態の以下の詳細な説明を考慮すれば本発明をより完全に理解することができるであろう。
【００１３】
本発明には多様な修正形態および変更形態が可能であるが、本発明の詳細を一例として図面で示し、詳細に記載する。しかし理解されるように、本発明は、記載した特定の実施形態に限定されるものではない。逆に、全ての修正形態、等価のもの、および変更形態が本発明の精神および範囲内に包含されるものとする。
【発明を実施するための最良の形態】
【００１４】
本発明は、鋳込治具を使用して歯型および対応する対向歯型を作成する歯型作成システムならびに方法に適用することができるものである。本開示は、対向歯型を作成する際に使用する歯型ベース、およびその使用方法にも関する。具体的には、本開示は、複数の平面で調整可能な複数の調整機能を備える歯型鋳込治具を対象とする。開示した例示の鋳込治具は、様々なタイプの歯の鋳型から様々なタイプの歯型を作成するように構成される。本開示を限定するものではないが、本開示の様々な側面が以下に提供する例の論述から理解されるであろう。
【００１５】
鋳込治具は、人間の歯の鋳型または凹凸から歯型を作成する際の補助として広範に使用されてきた。通常、鋳込治具は、人間の歯の鋳型、およびこの鋳型に隣接する歯型ベースを支持するものである。周知の鋳込治具は、歯型ベースを歯の鋳型に位置合せするための正確な調整が難しい。周知の鋳込治具は、有効に、同様の機能を繰り返し、以前に調整した位置に戻ることができない。周知の鋳込治具は、歯型を形成し、「トリプルトレイ」歯型（すなわち、人間の対向する上下の歯の凹凸を含む歯型）から関連する対向歯型を形成するのにも不十分である。本開示は、添付の図面を参照し、上記その他の従来技術の欠点に対処する、関連する鋳込治具および歯型ベースを備える歯型作成システムを提供する。
【００１６】
図１は、対向する歯型を形成するための例示の歯型作成システム１０を示す。システム１０は、鋳込治具１２、完全アーチ形状の対向歯型ベース１６（「対向ベース」または「完全アーチ形状の対向ベース」）、およびピンロケータ１８を備える。対向ベース１６の構造を図４および５を参照して以下に提供する。ピンロケータ１８は、歯型作成プロセスの最終工程で、歯型ベース２０と鋳込治具１０上で交換可能である（図１５〜１７を参照）。図２〜４は、患者の対向する上下の歯の凹凸を含む完全アーチ形状トリプルトレイの歯の鋳型１４をさらに備える歯型作成システム１０を示す。
【００１７】
図６は四分円形状対向歯型ベース２１６（「四分円形状対向ベース」）を備える歯型作成システム１０を示し、図７はさらに四分円形状対向歯型ベース２１６を有する四分円形状トリプルトレイの歯の鋳型２１４を示す図である。四分円形状対向ベース２１６の構造を以下で図６および８を参照して論じる。
【００１８】
鋳込治具１２は、ベース部材２２、歯型ベース支持部材２４、および鋳型支持部材２６を備える。歯型ベース支持部材２４は、ベース部材２２に固定された第一部分２８、ならびに第一部分にピボットロッド３２、３４および延長部３６で旋回可能に固定された第二部分３０を備える。鋳型支持部材２６は、スタンド部３８、鋳型プラットホーム４０、およびプラットホーム支持部４２を備える。スタンド部３８は、鋳型プラットホーム４０のベース部材２２に対する位置を変更するために、Ｘ、Ｙ平面でＺ方向に調整可能である。鋳型プラットホーム４０およびプラットホーム支持部４２は共にスタンド部３８に対して旋回式に調整可能である。したがって、鋳型支持部材２６は、歯型の鋳込みおよび作成がしやすくなるように複数の方向に調整できるようにするものである。
【００１９】
次に図９を参照すると、ベース部材２２は、鋳型支持部材２６をベース部材の上面４４上の所与のＸＹ位置（図１を参照）に係止または保持するために使用することができるロック機構４６を備える。ロック機構４６は、ピボット部材４８、ピボットポイント５０、ロック部５２、レバー５４、レバー５４に固定されたカム部５６（図３を参照）、およびレバーブラケット５８を備える。ピボット部材４８は、一端がピボットポイント５０に固定され、反対側の端部付近でレバー５４のカム部５６によって係合される。ロック部５２は、好ましくは、ピボットポイント５０と、カム部５６がピボット部材４８と係合する場所との間の点でピボット部材に装着される。カム部５６は、ピボットポイント５０からできるだけ離れた点でピボット部材４８と係合して、ロック部５２を鋳型支持部材２６から係合解除するのに最大てこ作用が生じるようにすることが好ましい。
【００２０】
カム部５６は、レバー５４が回転するときに鋳型支持部材２６からロック部５２の係合を解除するのに必要な力を加える所定のカム面角度を有するカム面を備える。カム部５６は、レバー５４の回転を所定の回転範囲に制限するようにも構成される。レバーハンドル６０は、ロック部５２が係止位置に存在する場合は垂直位置に存在し、ロック部５２を鋳型支持部材２６から係合解除するには約９０度回転される。他の実施形態では、レバー５４をより大きいまたは小さい回転角度だけ回転して、ロック部５２と係合させたり係合解除したりすることができる。さらに、レバーハンドル６０をベースに対して任意の所望の位置に配置することができる。
【００２１】
ロック部５２は、鋳型支持部材２６をベース部材２２の上面４４上の所与のＸ−Ｙ位置に保持する十分強い磁力を持つ磁気材料を含むことができる。磁力の強さは、通常、鋳型支持部材２６を所与の位置に保持して鋳型支持部材２６の不測の動きを阻止するのに十分な強さであるが、鋳型支持部材２６をベース部材２２に対して調整するためにロック部が簡単に解放することができる強さである。
【００２２】
他の実施形態では、ロック機構４６を、鋳型支持部材２６を所与のＸ−Ｙ位置に係止するための様々な構成要素および構造を有するように様々に構成することができる。たとえば、ロック機構４６はボールとソケット構成を備えることができ、ボールが鋳型支持部材に固定され、締めつけられると、ソケット部が鋳型支持部材２６をベース部材２２に固定位置に固定する。ロック機構２２の他の例示の実施形態は、ナットを有するねじシャフトを備えることができ、ナットを締めつけることによって、鋳型支持部材２６がベース部材に所望のＸ−Ｙ位置に固定される。
【００２３】
再び図１〜４を参照すると、歯型ベース支持部材２４はさらに、歯型ベース２０（図１５〜１７を参照）またはピンロケータ１８を取り付けることができる取付プレート６４を備える。取付プレート６４は第二部分３０に接続ポイント６６、６８で留め具、接着剤などで固定される。
【００２４】
通常、第二部分４２は、特別の取付プレートのサイズまたは特定の歯型ベースのサイズを取り付けるように構成される。たとえば、成人サイズの口用（大）、年少者サイズの口用（中）、および子供サイズの口用（小）の様々な取付プレートおよび歯型のサイズがある。ピボットロッド３２を取り外し、第二部分３０を適したサイズの第二部分と交換することによって、適したサイズの第二部分３０を所与の鋳型のサイズに使用することができる。
【００２５】
他の実施形態では、特定のサイズの第二部分３０を第一部分２８に永久に固定することができる。この構成は、大、中、または小の取付プレートおよび歯型ベースサイズごとに別個の鋳込治具を配置することができるようにするものである。
【００２６】
図１〜４で示した歯型ベース支持部材２４は、第二部分３０が、図１〜４で示した第１の位置と、たとえば図１５で示した第２の位置の間を移動することができるようにする。第二部分３０は、第１の位置では、第二部分３０によって支持される歯型ベース２０またはピンロケータ１８を歯の鋳型１４に隣接するように方向付け、歯の鋳型１４は鋳型プラットホーム４０上に位置付けられる。第２の位置では、歯型ベース２０またはピンロケータ１８は歯の鋳型１４から旋回式に取り外される。図１〜４で示した実施形態では、第二部分４２は、第１と第２の位置の間で約１８０度旋回して、第２の位置では、歯型ベースまたはピンロケータが第１の全般的に下方に面した配置ではなく上方に面することができる。他の実施形態では、回転角度は約３０度から約２７０度であり、好ましくは約１００度から約１８０度である。
【００２７】
第二部分３０の第２の位置への移動によって、取付プレート、ピンロケータ、または歯型ベースを第二部分３０に装着するために使用される接続ポイント６６（図４を参照）など装着構造に簡単にアクセスすることができるようになる。また、第２の位置に存在する場合、より簡単に、歯型ベース内にピンを配置し、得られた歯型の内部にピンが適切に固定されるように、たとえばピンを歯型形成材料の層で予め覆うことによって、鋳型内に挿入するピンの準備をすることができるようになる。
【００２８】
他の実施形態では、接続ポイント６６を、様々な取付プレート、ピンロケータ、および歯型ベースを装着するように多様に構成することができる。たとえば、第二部分３０に接続されるピースの設計に応じて、４つより多いまたは少ない図４で示した接続ポイント６６が存在してもよい。
【００２９】
ピンロケータ１８は、取付プレートから迅速に解放される構造を有するように構成することができる点で、上記の米国特許および以下に列挙した特許出願に参照される歯型ベース構成に幾つかの点で類似するものである。ピンロケータ１８は、広範なピンの数およびピン構成を含むことができる。ピンロケータ１８は、ピンロケータ１８を歯の鋳型の歯の凹凸に対して視覚による位置合せおよび位置付けが容易になるように、ピンロケータから延びる（歯型ベースのピンと比較して）比較的長いピンを備えることができる。歯型作成中に、鋳型がピンロケータに対して適切に位置付けられた後、かつ歯の鋳型に成形可能な材料が充填される前に、ピンロケータが歯型ベースと交換される。ピンロケータの全高（たとえば、ピンの長さにピンロケータのベース部の高さを加えたもの）がベースの全高（歯型ベースから延びるピンの長さに歯型ベースの高さを加えたもの）と実質的に等しいことが好ましい。等しい高さが得られると、歯の鋳型内の歯の凹凸に対するピンロケータのピンの位置の正確な調整によって、ピンロケータが歯型ベースと交換された場合に、歯型ベース内のピンに対応する同様の調整が得られる。ピンロケータ１８の構造および機能に関するさらなる詳細は、参照により本明細書に組み込まれている、公開された米国特許出願第２００４−００２９０７０−Ａｌ号および第２００４−００２９０７１−Ａｌ号に記載されている。
【００３０】
次に図３、４、および１０を参照すると、鋳型支持部材のスタンド部３８は、スタンドベース７０、スタンドベースに装着される中空部７２、中空部７２内に挿入可能なねじシャフト７４、中空部７２に固定されるナット７６、および上面４４のスタンドベース７０から反対側でベース部材１２に隣接して位置付けられる係合プレート７８を備える。図１０の分解図は、こうした様々な構造の相対位置付けおよび組立方法を示す。
【００３１】
ナット７６は中空部７２に固定されるが、中空部７２に対して回転可能である。ねじシャフト７４はナット７６の内側ねじと係合し、ナット７６の回転によってねじシャフト７４を中空部７２内で移動させる。他の実施形態では、ナット７６を省くことができ、中空部はシャフト７４のねじと係合する内側ねじを備えることができる。
【００３２】
スタンドベース７０と係合プレート７８は互いに固定され、スタンドベース７０と係合プレート７８の間に延びる接続部材８０がベース部材２２内に形成された中空部８２内で移動することができるように構成される。この構成によって、ロック機構４６がロック部５２を係合プレート７８から係合解除した場合に、スタンド部３８がベース部材２２に対してＸ−Ｙ平面で移動することができるようになる。ロック部５２が係合プレート７８と係合した場合、スタンド部３８が係止され、または他の方法で上面４４に対して所与のＸ−Ｙ位置に固定される。
【００３３】
次に図１１を参照すると、鋳型支持部材２６は、ボール８６、ソケット８８、上部９０、および下部９２を備える鋳型プラットホームアジャスター８４を含む。プラットホームアジャスター８４は、鋳型プラットホーム４０をスタンド部３８および歯型ベース支持部材２４に対して旋回式に調整できるようにする。ボール８６およびソケット８８は、上部９０と下部９２の間に保持される。ソケット８８はアジャスターハンドル９４で調整され、アジャスターハンドル９４は回転によってソケット８８を緩めたり締めつけたりすることができ、それによって、鋳型プラットホーム４０を所望の旋回位置に調整することができる。下部９２はスタンド部３８のねじシャフト７４に固定され、シャフト７４の垂直方向の調整によって、鋳型プラットホーム４０および鋳型プラットホームアジャスター８４の位置も垂直方向に調整される。
【００３４】
他の実施形態では、鋳型プラットホームアジャスター８４を異なる構成にして、同じまたは同様の機能を実行するようにすることができる。たとえば、他の例示のアジャスターは、上部または下部部材を通して挿入して鋳型プラットホームを所与の旋回式に調整された位置に係止するボールおよび止めねじを備えることができる。他の例示の実施形態では、鋳型プラットホームをスタンド部にヒンジで取り付けて、図で示したボールとソケット構成による無限の旋回式調整ではなく、単一の運動平面で調整可能にすることができる。他の例では、アジャスターは、別個の運動平面の調整を可能にする２つ以上の別個のヒンジを備えることができ、各ヒンジは個々に固定されて、プラットホームをスタンドに対して複数の方向に調整することができるようになされる。
【００３５】
鋳型プラットホーム４０は、図１〜４、６および７で示した対向歯型ベース１６、２１６を装着するように構成される。対向ベース１６をプラットホーム４０上で保持する助けとして、プラットホーム４０は前停止部９６、後停止部９８、保持アーム９９、１００、１０１を備える。プラットホームは、プラットホーム支持部４２の上面に形成された開口１０４と係合するプラットホームの下側の位置合せタブ１０２を備えることもできる（図３および４参照）。位置合せタブ１０２はプラットホーム４０をスタンド部３８に対して保持する助けをする。プラットホーム４０はさらに、対向ベース１６をプラットホーム４０に装着する際に、前停止部９６を対向ベース１６の雌位置合せピン１５２（図４を参照）と位置合せする助けをする位置合せマーカ９７を備える。
【００３６】
保持アーム９９、１００、１０１は、対向ベース１６、２１６の後ろ側に形成されたスロット１４８、２４８内に延びるサイズであり、そのように配置される。スロット１４８、２４８は、対向ベース１６、２１６を、たとえば、使い捨て咬合器（たとえば図１７で示した咬合器１９０）または他のタイプの装着デバイスに結合する構造を有する。対向ベース１６のスロット１４８は、対向ベースの後ろ側を横切って連続して延び、３つの保持アーム９９、１００、１０１が全てスロット１４８内に延びるサイズである。対向ベース１６は保持アーム９９、１００、１０１によって垂直に保持され、前停止部９６および後停止部９８によって横方向かつ長手方向に保持される。四分円形状対向ベース２１６（図６を参照）では、対向ベース２１６が鋳型プラットホーム４０のどちら側に位置付けられるかによって、保持アーム９９または１０１のうちの１つがスロット２４８内に延び、保持アーム１００は対向ベース２１６の側縁部に沿ってスロットの外側に延びる。保持アーム９９、１０１のうちの１つがスロット２４８の内部に、保持アーム１０１が対向ベース２１６の側面に沿って配置されるこの構成は、対向ベース２１６の横方向（Ｘ）および垂直方向（Ｚ）の両方の移動を制限する助けをする。対向ベース２１６は停止部９６、９８によって長手方向（Ｙ）に、かつ部分的に横方向に保持される。
【００３７】
鋳型プラットホーム４０は、鋳型プラットホームの下側から下方に突き出たスカート１０５を備える（図４を参照）。スカート１０５は、プラットホーム支持部４２の外周の少なくとも一部の周りに延びるサイズである。スカート１０５は、位置合せタブ１０２が鋳型プラットホーム４０をプラットホーム支持部４２上で所定の横方向および長手方向の位置に保持する際の助けをする。代替実施形態では、鋳型プラットホーム４０をプラットホーム支持部４２に、たとえば、スナップ嵌め、締まり嵌め、留め具、ラッチ、または２つ以上の物品を比較的迅速に解放することができる他の周知の構造など、迅速解放構造で固定することができる。他の実施形態では、鋳型支持部材の他の構造は、迅速な解放または他の脱着可能な構成を使用して鋳込治具から脱着可能でもよい。たとえば、鋳型支持部材のスタンド部の多様な構造は脱着可能でもよく、鋳型支持部材全体が鋳込治具から簡単かつ迅速に脱着可能でもよい。
【００３８】
鋳型支持部材の少なくとも鋳型プラットホームの脱着性は幾つかの理由で有利である。鋳型プラットホーム４０自体の、または鋳型支持部の他の構造による、取り外しおよび取り付けは、鋳込治具を最適に使用する助けをすることができる。たとえば、鋳込治具を使用する歯型作成プロセスの幾つかの予備工程を鋳込治具の鋳型プラットホーム構造だけを使用して行うことができる。この工程を鋳型プラットホームを鋳込治具から取り外した状態で行うことができ、必要に応じて鋳型プラットホームを鋳込治具に取り付けることによって残りの工程を完了することができる。鋳型プラットホームを取り外した状態で行うことができる幾つかの工程の例には、対向歯型ベースの鋳型プラットホームへの装着、対向ベースおよび歯の鋳型への成形可能な材料の充填、充填した対向ベースと歯の鋳型の互いの係合状態への位置付け、および成形可能な材料の硬化が含まれる。したがって、複数の歯の鋳型および対向ベースを全て鋳込治具から取り外された別個の鋳型プラットホームに装着することができ、次いで、（歯の鋳型と対向ベースを適切に装着して用意した）用意された鋳型プラットホームを１つずつ鋳込治具に迅速に装着して、他の鋳込治具構造を使用して歯型を形成することができる。
【００３９】
ピンロケータ１８、取付プレート６４、および歯型ベース２０は、ソケットまたはボール取り付け構造１０８、１１０を備える。ボール構造１０８は半球形状の突起であり、半球形状の凹部またはソケット１１０内に少なくとも部分的に嵌まるように構成される。ボール１０８とソケット１１０の嵌合はスナップ嵌め接続部を提供することができる。図で示した実施形態では、ボールとソケット１０８、１１０は係止構成には係合せず、垂直および横方向の動きを制限するものである。ラッチ構造１１２、１１４は、その１つがピンロケータ１８、取付プレート６４、および歯型ベース２０の前端に設けられており、ラッチ構造１１２、１１４の係合によりスナップ嵌めのしっかりした接続部が設けられる。一部の実施形態では、ボール構造をピンロケータ１８および歯型ベース２０と一体化し、ソケット構造を取付プレート６４と一体化することができる。他の実施形態は、ピンロケータ１８、取付プレート６４、および歯型ベース２０の対向する端部にラッチ構造１１２、１１４およびボールとソケット構造１０８、１１０の任意の組合せを備えることができる。取付プレート６４とピンロケータ１８と歯型ベース２０の間の同じまたは同様の取り付け機能を実行する他の取り付け構造を他の実施形態に設けることができる。
【００４０】
公開された米国特許出願第２００４／００２９０７０−Ａｌ号および第２００４／００２９０７１−Ａｌ号は歯型作成プロセスに関する詳細を開示しており、それによれば、歯の鋳型が一種の取り付け手段（たとえばプラスター、留め具など）を使用して鋳型支持部材の鋳型プラットホームに直接取り付けられる。本明細書で開示する歯型作成システムおよび方法は、鋳型プラットホーム４０と歯の鋳型１４、２１４の間に位置する対向歯型ベース１６を備える。この方向付けにより、歯の鋳型１４、２１４の高さが、ベース部材２２および歯型ベース支持部２４の第二部分３０に対して対向ベース１６、２１６の厚さに等しい距離だけ高くなる。この歯の鋳型の高さが高くなる結果、第二部分３０の高さも高くなり、鋳型支持部材２６に広範な垂直方向の調整が可能になる。
【００４１】
歯型ベース支持部２４の延長部３６は、対向ベース１６の厚さと実質的に同じ距離だけ第二部分３０の高さを上げる。延長部３６は、第一部分２８の上面と対合して延長部３６が完全に支持されるようにする構造を備える。延長部３６は、第一部分２８の対合する横方向の開口１２０に対して平行方向に横に延びる２組の開口１１６、１１８を含む。下方の組の開口１１６は第１のピボットロッド３２を受けて延長部３６を第一部分２８に固定するように構成される。上方の組の開口１１８は、第２のピボットロッド３４を受けて歯型ベース支持部２４の第二部分３０を延長部３６に固定するように構成される。
【００４２】
延長部３６は、第１および第２の停止面１２２、１２４も備える。停止面１２２、１２４は、第二部分３０と係合して、鋳型支持部材２６および歯の鋳型１４に隣接する第二部分３０および第２の位置を画定し、第二部分３０は鋳型支持部材２６および歯の鋳型１４から取り外される位置に１８０度回転される。他の実施形態では、停止面は、たとえば角度９０°から１８０°など異なる回転角度を提供することができる。
【００４３】
延長部３６は、延長部が取り外された場合は第２００４／００２９０７０−Ａｌ号および第２００４／００２９０７１−Ａｌ号に記載されているように鋳型をプラットホームに直接装着し、または延長部３６が第一部分２８に加えられた場合は鋳型を対向ベース（たとえばベース１６）に装着するように、鋳込治具１２が使用されるようにする。他の実施形態では、第一部分２８は延長部３６の高さと等しい追加の高さを含むことができ、それによって延長部３６が不要になるが、鋳込治具の使用が制限される可能性がある。他の実施形態では、たとえば鋳型支持部材２６が追加の垂直方向の調整能力を有し、または歯型支持部２４が他の垂直方向の調整構造を備える場合は、延長部３６が不要である。
【００４４】
図４および５を参照すると、完全アーチ形状の対向歯型ベース１６は、外壁１３０、内壁１３２、および中間壁１３４を備える。外壁１３０および内壁１３２は、患者の歯肉線の曲率に全般的に従う。壁１３０、１３２、１３４は中間壁１３４の両側に第１および第２のキャビティ１３６、１３８を画定する。外壁１３０および内壁１３２は対向する第１および第２の支持面１４０、１４２も画定する。ラッチ受け部１１４は外壁１３０の前端に形成され、ソケット１１０およびスロット１４８は外壁１３０の後端に形成される。それぞれ複数のストーン保持ピン１５０および雌位置合せピン１５２が中間壁１３４から第１および第２のキャビティ１３６、１３８内に延びる。前部および後部の対の歯の位置合せマーカも対向ベース１６の前端と後端の間で外壁１３０上に形成される。
【００４５】
図６および８を参照すると、四分円形状対向歯型ベース２１６は、外壁２３０、内壁２３２、および中間壁２３４を備える。外壁２３０および内壁２３２は、患者の歯肉線の曲率に全般的に従う。壁２３０、２３２、２３４は中間壁２３４の両側に第１および第２のキャビティ２３６、２３８を画定する。外壁２３０および内壁２３２は対向する第１および第２の支持面２４０、２４２も画定する。一対のラッチ受け部２１２、２１３が外壁２３０の前端に形成され、ソケット２１０およびスロット２４８が外壁２３０の後端に形成される。それぞれ第１および第２組のストーン保持ピン２５０、２５１、ならびに第１および第２の雌位置合せピン２５２、２５３は中間壁２３４から第１および第２のキャビティ２３６、２３８内に延びる。前部および後部の対の歯の位置合せマーカも四分円形状対向ベース２１６の前端と後端の間で外壁２３０上に形成される。
【００４６】
中間壁１３４、２３４は、第１と第２の支持面１４０、２４０と１４２、２４２の間に均等に間隔をおいて配置される。この均等の間隔によって、実質的に同じ体積のキャビティ１３６、２３６と１３８、２３８が作成される。中間壁の使用は、対向ベース１６、２１６を使用して対向する歯型を形成するのに必要とされる成形可能な材料の全体量を減少する助けになる。中間壁は２つの別個のキャビティを作成し、各キャビティが特定の機能を果たすこともできる。四分円形状対向ベース２１６の場合は、キャビティ２３６、２３８の両方が、ストーン保持ピン２６０、２５１など歯型用のベースとしてストーンを保持するのに好ましい構造を備え、鋳型プラットホーム４０に装着するための雌位置合せピン２５０、２５１も備える。この構成によって、対向ベース２１６が右側または左側の四分円形状対向歯型ベースとして機能することができるようになる。他の実施形態では、雌位置合せピン２５２、２５３の１つ、およびストーンピン２５０、２５１の１つが対向ベース１６の構造と同様に取り外されて、対向ベース２１６が右側または左側だけの四分円形状歯型ベースとして機能する。
【００４７】
完全アーチ形状対向ベース１６の場合、第１のキャビティ１３６は、ストーンを歯型のベースとして保持するように構成され、第２のキャビティ１３８は鋳型プラットホーム４０に装着するための雌位置合せピン１５０を備える。第２のキャビティ１３８はストーン保持ピン１５０を備えていないが、たとえば、対向ベース１６をプラスターアッタチメント（たとえば、図１９の咬合器１９２への四分円形状対向ベース２１６のプラスターアッタチメント）で咬合器に装着するために、成形可能な材料を充填し保持することができる。他の実施形態では、第２のキャビティ１３８は一組のストーンピンを備えることができ、雌位置合せピンを第１のキャビティ１３６に追加して、対向ベース１６の両側を使用して成形可能な材料を歯型用のベースとして保持することができる。
【００４８】
ストーンピン１５０、２５０、２５１は円柱形であり、別個の列に配置され、外壁１３０、２３０、および内壁１３２、２３２に隣接して延びる。他の実施形態では、ストーンピンは様々な形状、サイズ、数でもよく、キャビティ内の様々な位置に配置することができる。ストーンピンは、１つまたは複数の壁１３０、２３０、および１３２、２３２、ならびに１３４、２３４と一体に形成することもでき、または対向ベースに別個に固定し、あるいはそれから取り外し可能にすることができる。ピン１５０、２５０、２５１はベース１６、２１６の様々な壁から様々な方向に延びることもできる。
【００４９】
前部および後部の歯の位置合せマーカ１５４、２５４、および１５６、２５６は、上部および下部の鋳型の特定の歯の位置合せのための位置合せマーカである。通常、各組のマーカの第１のマーカが（対向ベース１６、２１６の前から後ろに移動する際に）下の歯の鋳型の特定の歯の凹凸と位置合せされることが意図されている。各組のマーカの第２のマーカは上の歯の鋳型の特定の歯の凹凸と位置合せされることが意図されている。マーカ１５４、２５４、および１５６、２５６は、鋳込治具１２およびピンロケータ１８を使用せずに対向ベース上に歯型を形成する際に最も有用である。位置合せマーカ１５４、２５４、および１５６、２５６の使用に関してさらに詳細に以下に記載する。
【００５０】
ラッチ受け部１１２、２１２、２４５およびソケット１１０、２１０は、対向ベース１６、２１６をたとえば取付プレートまたは歯型作成システムの他の構造に取り付けるための取り付け構成の一例である。留め具、ブラケットなど他のタイプの取り付け手段、および迅速解放デバイスを対向ベース１６、２１６と一体化し、またはその上で動作させて、同様の取り付け機能を果たすようにすることができる。
【００５１】
対向ベース１６、２１６の第２のキャビティ１３８、２３８を省き、キャビティ１３８、２３８内に位置付けられる雌位置合せピン１５２、２５２などの構造を他の位置に移動させることができる。たとえば、中間壁１３４、２３４、または外壁１３０、２３０の厚さを増加し、雌位置合せピン１５２、２５２、または同様の位置合せ部材を中間壁または外壁の内部に画定することができる。他の例では、雌位置合せピン１５２、２５２、または同様の位置合せ部材を外壁１３０、２３０、または内壁１３２、２３２の外側に位置付けて、位置合せピンが中間壁１３４、２３４の下ではなく側部に位置付けられるようにすることができる。一部の実施形態では、第２のキャビティ１３、２３８を省いて、対向ベース１６、２１６の高さを低くし、より平坦にすることができる。
【００５２】
本明細書で示し記載した歯型ベースおよび取付プレートを任意の所望の歯型ベースまたは取付プレート構成と交換することができる。幾つかの例示の他の歯型ベースおよび取付プレートには、発行された特許および特許出願の以下のリストに示し記載された取付プレートおよび歯型ベースの一群の任意のものが含まれる。米国特許第Ｄ４２９，８１５号、第Ｄ４３０，６７２号、第Ｄ４３３，１３６号、第Ｄ４３３，７５４号、第Ｄ４４４，５５９号、第Ｄ４４３，３６３号、第Ｄ４５２，００９号、第Ｄ４５２，０１０号、第Ｄ４５２，３１９号、第Ｄ４５２，３２０号、第Ｄ４５２，３２１号、第Ｄ４５２，３２２号、第Ｄ４５２，５６６号、第Ｄ４５２，５６７号、第Ｄ４５２，５６８号、第Ｄ４５６，９０４号、第Ｄ４５７，９６４号、第Ｄ４５７，９６３号、第Ｄ４５６，９０３号、第Ｄ４５７，６３６号、第Ｄ４５７，２４３号、第Ｄ４５６，９０２号、第Ｄ４５７，６３７号、第Ｄ４６４，４３２号、第Ｄ４６５，０２７号、第Ｄ４６４，４３１号、第Ｄ４６４，７３２号、第Ｄ４６４，７３３号、第Ｄ４６８，０１８号、第Ｄ４６８，４３１号、第Ｄ４６８，４３２号、第Ｄ４８１，７９７号、第Ｄ４６９，５３７号、第５，７７５，８９９号、第５，７８８，４８９号、第５，７８８，４９０号、第５，８００，１６６号、第５，８６８，５６９号、第５，９３４，９０１号、第６，４７１，５１３号、第６，８８４，０６８号、および米国特許出願第２９／２１６，６９７号、ならびに第２９／２１６，６９６号であり、参照によりその全体が本明細書に組み込まれている。特許および特許出願のこの一群は、限定的ではないが、完全アーチ形状および四分円形状の歯の鋳型の作成用の取付プレートおよび歯型ベースに関連するものである。
【００５３】
本開示の歯型作成システム（たとえば、歯型鋳込治具、対向歯型ベース、歯型ベース、およびピンロケータ）を使用する可能な歯型作成の一方法のさらに詳細な説明を図１２〜１９を参照して記載する。以下に記載した工程は、列挙した順序に厳密に従う必要はなく、開示された例の所期の目的を果たすことができるより多くのまたはより少ない工程と交換することができる。方法工程の大部分は鋳込治具およびピンロケータを使用して記載されているが、この工程の少なくとも一部を鋳込治具またはピンロケータを使用せずに行うことができる。対向ベース１６、２１６は、鋳込治具およびピンロケータとは別に、歯型作成方法に特に有用である。
【００５４】
鋳込治具１２は、先ず、所与のサイズの歯の鋳型１４に正しい取付プレート６４および歯型ベース支持部材２４の第二部分３０を選択することによって用意される。次に、トリプルトレイの歯の鋳型および対向歯型ベースが歯型作成方法に使用される場合は、延長部３６がピボットロッド３４を使用して歯型ベース支持部２４の第一部分２８に取り付けられる。適切なサイズの第二部分３０がピボットロッド３２で延長部３６に装着される。次いで、取付プレート６４が取り付けられた第二部分３０が、鋳型プラットホーム４０の上方に垂直に方向付けられる第１の位置に移動される。
【００５５】
次いで、保持アーム９９、１００、１０１を対向ベース１６のスロット１４８内に挿入することによって、対向ベース１６が鋳型プラットホーム４０に装着され、鋳型プラットホーム４０の前停止部９６が対向ベース１６の雌位置合せピン１５２内に挿入される。次いで、ピンロケータのピンが歯の鋳型１４の上側の歯の凹凸と位置合せされた状態で、歯の鋳型１４が対向ベース１６とピンロケータ１８の間の位置に手で保持される（図１２を参照）。鋳型支持部材２６は、歯の位置合せマーカ１５４、１５６が歯の鋳型１４の下側の特定の歯の凹凸とほぼ位置合せされるように上記の様々な調整構造を使用して調整されるが、ピンロケータ１８のピンは歯の鋳型１４の上側の歯の凹凸と位置合せされたままである。マーカ１５４、１５６を使用する位置合せではなく、歯の鋳型１４と対向ベース１６の視覚による位置合せを行うことが可能である。歯の鋳型１４の上側と下側の特定の歯の凹凸の位置を示すマーキングを歯の鋳型１４の外面上に行ってマーカ１５４、１５６と位置合せしやすくすることができる。対向ベース１６およびピンロケータ１８が透明または半透明材料からなる場合は、視覚によって位置合せしやすくすることができる。
【００５６】
ピンロケータ１８は、歯型ベース２０に装着することができるピンを含む歯型ベース２０の相対位置および寸法を全て複製するものである。鋳型プラットホーム４０の高さを調整して、ピンロケータ１８のピンが歯の鋳型１４の邪魔にならないようにし、歯の鋳型１４は、鋳型１４の上側の歯の凹凸がピンロケータ１８のピンと概ね位置合せされるように配置される。
【００５７】
次いで図１３で示したように、対向ベース１６の第１のキャビティ１３６および歯の鋳型１４の下側の歯の凹凸に成形可能な材料Ｍ１が充填される。対向ベース１６の充填を、たとえば、対向ベース１６および鋳型プラットホーム４０が鋳込治具に装着されている間、対向ベース１６が鋳型プラットホーム４０から取り外されている間、または対向ベース１６が鋳型プラットホーム４０に装着され、鋳型プラットホーム４０が鋳込治具から取り外されている間に行うことができる。これらの幾つかの選択肢は、必要に応じて鋳込治具の使用を最適にするものである。対向ベース１６および歯の鋳型１４内の成形可能な材料Ｍ１は、歯の鋳型１４の歯の凹凸と適切に位置合せされた位置合せマーカ１５４、１５６と互いに接触される。
【００５８】
成形可能な材料Ｍ１が硬化した後、組み合わせた対向ベース１６と歯の鋳型１４が、鋳込治具上に装着された鋳型プラットホーム４０上に再配置される。ピンロケータ１８が図１４で示した第１の位置に再び回転され、鋳型支持部材２６が、正確に位置合せされるように精密に調整され、ピンロケータのピンが歯の鋳型１４の歯の凹凸に対して間隔をおいて配置される。歯型ベース支持部２４の第二部分３０は第１の位置から第２の位置に向けて回転され、ピンロケータ１８が歯型ベース２０と交換される。
【００５９】
図１５で示した実施形態では、歯型ベース２０は、歯型ベース２０の歯型支持面から延びる複数のピン２１を備える。歯型支持面および歯の鋳型１４の上側の歯の凹凸は成形可能な材料Ｍ２で覆われ、または充填される（図１４を参照）。次いで、第二部分３０が第１の位置に戻るように回転され、第二部分の接触タブ３１が延長部３６の停止面１２２と係合する。この回転運動によって、図１６で示したように、歯の鋳型１４の成形可能な材料Ｍ２が歯型ベース２０の成形可能な材料Ｍ２と対合する。
【００６０】
ベース２０および鋳型１４が鋳込治具に装着されたとき、またはこうした部材の１つまたは両方が鋳込治具から取り外されたときに、歯型ベース２０および歯の鋳型１４の上部への成形可能な材料Ｍ２の充填または被覆を行うことができる。特に鋳型支持部２６の調整された位置を正確に再現することができる場合、鋳込治具から離れた場所での材料Ｍ２の充填または被覆は、鋳込治具の使用を最適化する助けをすることができる。
【００６１】
成形可能な材料Ｍ２が硬化した後、歯型ベース２０および対向ベース１６を鋳込治具から解放し、歯の鋳型１４から解放して、得られた歯型３００、３０２（図１７を参照）を露出することができる。過剰な成形可能な材料Ｍ１、Ｍ２を歯型３００、３０２から研磨して、歯型をたとえば図１７で示した使い捨て咬合器１９０に装着することができる。咬合器１９０は、歯型ベース２０および対向ベース１６のスロット構造１４８と係合する接続部材１９２、１９４を備える。接続部材１９２、１９４をスロット１４８内に、たとえば、接着剤、スナップ嵌め接続、留め具、超音波溶接などで接続することができる。
【００６２】
歯型３００、３０２を咬合器に接続して歯の鋳型１４を取り外すまで待機することによって、患者の実際の咬合を示す歯型３００、３０２の正確な位置合せを確保することができる。こうした接続の維持により、歯型３００、３０２を咬合器または他の装着構造に取り付けやすくすることもできる。たとえば、接続の維持は、対向ベース１６および歯型ベース２０に直接、または取付プレート１６４を介して、プラスターアタッチメントＰが必要な図１８および１９で示した咬合器１９２に取り付けるのに有用である。
【００６３】
図１８は、プラスターアタッチメントＰで咬合器１９２に装着された四分円形状対向ベース２１６に装着された歯型３０２を示す。プラスターＰは下部アーム１９４に固定され、対向ベース２１６の下方または第２のキャビティ２３８内に延びる。図１８で示した構成は、プラスターアタッチメントＰが破壊されるまで歯型３０２の咬合器１９２への永久接続をもたらす。歯型３０２は、プラスターアタッチメントＰを介して咬合器１９２に結合された場合、定位置にしっかり保持され、対向する歯型（たとえば歯型３００）は上部アーム１９６に接続され、咬合器の調整が行われて歯型の互いの位置の調整が行われる。
【００６４】
図１９は、取付プレート６４を有する咬合器１９２に装着される四分円形状対向ベース２１６に装着された歯型３０２を示す。取付プレート６４はプラスターアタッチメントＰで咬合器のアーム１９４に固定される。取付プレートは歯型３０２を咬合器から迅速かつ簡単に取り外しできるようにする。
【００６５】
他の歯型作成システムでは、対向ベース１６、２１６の第１のキャビティ１３６、２３６に第１の支持面１４０、１４２と同じ高さに成形可能な材料を充填することができ、成形可能な材料が硬化される。次に、歯の鋳型１４、２１４に成形可能な材料を充填し、鋳型１４、２１４の中で成形可能な材料が硬化されて、歯型が形成される。歯型が鋳型１４、２１４から取り外され、下側（歯に対向する側）が平坦に研磨される。次いで、歯型が支持面１４０、１４２に、たとえば接着剤で固定される。こうすると、対向ベース１６、２１６は追加の機能性を提供することができる。
【００６６】
本明細書に記載した例示の鋳込治具の様々な構造および部品、ならびに他の構造の調整性を参照して、様々な運動方向および調整を本明細書に記載する。本明細書で使用するように「運動方向」は広範に定義されるものであり、たとえば回転運動、並進運動、および旋回運動、ならびにこのタイプの運動の範囲内のあらゆる方向の運動など、幾つかの異なるタイプの運動を含むものである。たとえば、Ｘ、Ｙ、およびＺ軸方向の並進運動、ならびにＸＹ、ＸＺ、およびＹＺ平面の並進運動がある。回転運動をＸＹＺ座標系のコンテキストで定義することもできる。旋回運動は、回転運動と密接に関連しているが、たとえば、プラットホーム４０とスタンド３８のボールとソケット接続によって画定される単一点の周りのプラットホーム４０の旋回運動など、本開示の幾つかの構造の動きを説明する際に有用である。
【００６７】
歯型作成システム１０の様々な構成要素を多様な材料で作成することができる。たとえば、ベース部材１２、歯型支持部材１４、および鋳型支持部材１６に関連する構成要素の大部分を金属、合金、ポリマーベース材料、または、たとえばガラス繊維強化プラスチックなど強化ポリマーベース材料で作成することができる。対向ベース１６、２１６、ピンロケータ１８、および歯型ベース２０は、透明または半透明材料からなり、それによって本明細書で論じた歯型作成プロセスに必要とされる様々な調整および位置合せ工程を行う際に、こうした構成要素を通して、またはその中を見ることができることが好ましい。
【００６８】
上記の詳細、例、およびデータは、開示した例の構成物の製造および使用の完全な説明を提供するものである。本発明の精神および範囲から逸脱することなく、本開示の多くの実施形態を作成することができ、本発明は添付の特許請求の範囲にあるものとする。
【図面の簡単な説明】
【００６９】
【図１】鋳込治具、完全アーチ形状対向歯型ベース、およびピンロケータを備える例示の歯型作成システムを示す正面、上面からの斜視図である。
【図２】完全アーチ形状の歯の鋳型をさらに備える図１の歯型作成システムを示す正面、上面からの斜視図である。
【図３】図２の歯型作成システムを示す正面、上面からの分解斜視図である。
【図４】図２の歯型作成システムを示す正面、底面からの分解斜視図である。
【図５】図１〜３の対向歯型ベースを示す後面、上面からの斜視図である。
【図６】四分円形状の対向歯型ベースを備える図１の歯型作成システムを示す正面、上面からの斜視図である。
【図７】四分円形状の歯の鋳型をさらに備える図６の歯型作成システムを示す正面、上面からの斜視図である。
【図８】図６の四分円形状対向歯型ベースを示す後面、底面からの斜視図である。
【図９】図１の鋳込治具ベース部材のロックアセンブリの構造を示す後面、底面からの斜視図である。
【図１０】図１の鋳込治具鋳型支持スタンドの構造を示す斜視図である。
【図１１】図１の鋳込治具鋳型支持プラットホームアジャスターの構造を示す斜視図である。
【図１２】図２で示した歯型作成システムおよび歯型ベースを使用して歯型を形成する例示の方法工程を示す図である。
【図１３】図２で示した歯型作成システムおよび歯型ベースを使用して歯型を形成する例示の方法工程を示す図である。
【図１４】図２で示した歯型作成システムおよび歯型ベースを使用して歯型を形成する例示の方法工程を示す図である。
【図１５】図２で示した歯型作成システムおよび歯型ベースを使用して歯型を形成する例示の方法工程を示す図である。
【図１６】図２で示した歯型作成システムおよび歯型ベースを使用して歯型を形成する例示の方法工程を示す図である。
【図１７】図１２〜１６で示した工程により組み合わせて使い捨て咬合器に結合された、完全アーチ形状対向歯型ベース、歯の鋳型、および歯型を示す後面からの斜視図である。
【図１８】プラスターアタッチメントを有する咬合器に装着された四分円形状対向歯型ベースを示す正面からの斜視図である。
【図１９】取付プレートがプラスターアタッチメントを有する咬合器に装着された、取付プレートを有する咬合器に装着される図１８で示した四分円形状対向歯型ベースを示す正面からの斜視図である。
【図１】
2008543372.tif 000003
【図２】
2008543372.tif 000004
【図３】
2008543372.tif 000005
【図４】
2008543372.tif 000006
【図５】
2008543372.tif 000007
【図６】
2008543372.tif 000008
【図７】
2008543372.tif 000009
【図８】
2008543372.tif 000010
【図９】
2008543372.tif 000011
【図１０】
2008543372.tif 000012
【図１１】
2008543372.tif 000013
【図１２】
2008543372.tif 000014
【図１３】
2008543372.tif 000015
【図１４】
2008543372.tif 000016
【図１５】
2008543372.tif 000017
【図１６】
2008543372.tif 000018
【図１７】
2008543372.tif 000019
【図１８】
2008543372.tif 000020
【図１９】
2008543372.tif 000021
【国際調査報告】
2008543372.tif 000022
2008543372.tif 000023
2008543372.tif 000024
2008543372.tif 000025
2008543372.tif 000026